(57)【要約】【課題】特別な制御コードの入力なしに、通信相手の装置に備えられたスピーカを制御し、着信音を出力する。【解決手段】ＭＰＵ３０６は、通信相手の打合せ装置４から着信を受けると、スピーカ４０４に対する制御が必要かを判断する。制御が必要な場合には、ＭＰＵ３０６は、ＡＤＰＣＭ部４００を制御して、スピーカ４０４をＯＮ状態とし、ＡＤＰＣＭ部４００を制御して、着信音を最大音量でスピーカ４０４から出力させる。ユーザが応答の操作を行うと、通信相手の打合せ装置４との間の通話を開始させるよう、多重化ディジタル無線装置３および打合せ装置４の各構成部分を制御する。以上により、伝送フレーム内の音量制御ビットを用いて、音量スイッチの設定にかかわらず指定された音量で着信音を鳴らす。【選択図】　　　　　図２
2004128611.tif 000002
【特許請求の範囲】
【請求項１】
第１の通信装置と第２の通信装置とを有する通信システムであって、
前記第１の通信装置は、前記第２の通信装置に対して、着信音の出力を行わせる制御信号を送信し、
前記第２の通信装置は、
音声を出力するか否かの制御、および、音量の制御に従って、音声を出力する音声出力手段と、
前記送信された制御信号を受信したときに、所定の音量で、前記着信音を出力するように、前記音声出力手段を制御する音声出力制御手段と
を有する
通信システム。
【請求項２】
前記第１の通信装置は、前記第２の通信装置に対して、前記着信音の出力を指示する制御信号を、所定の伝送フレームに収容して送信し、
前記音声出力手段は、前記送信された伝送フレームの制御信号が、前記着信音の出力を指示するときに、所定の音量で、前記着信音を出力するように、前記音声出力手段を制御する
請求項１に記載の通信システム。
【発明の詳細な説明】
【０００１】
【発明の属する技術分野】
本発明は、相手方の装置のスピーカの状態にかかわらず、最大の音量で着信音をスピーカから出力して、相手を呼び出す通信システムに関する。
【０００２】
【従来の技術】
例えば、特許文献１は、コードレス電話の子機側から制御コードを入力することにより、親機のスピーカをＯＮ／ＯＦＦ制御する方法を開示する。
また、特許文献２は、制御局から複数の端末装置に対して一斉通信または個別通信を行う方法を開示する。
【０００３】
しかしながら、特許文献１に開示の方法によると、ユーザは、親機のスピーカを制御するために、子機側から制御コードを入力しなければならない。
また、特許文献１に開示の方法は、親機・子機の区別がない通信装置から、通信相手の装置のピーカを制御する用途には使いにくい。
また、特許文献２に開示の方法によると、端末側に対する制御は、制御局を介して行われなければならない。
【０００４】
【特許文献１】特開平６−１７７９４６号公報
【特許文献１】特開平５−１５８８４８号公報
【０００５】
【発明が解決しようとする課題】
本発明は、上述した背景からなされたものであり、ユーザが特別な制御コードを入力する必要なしに、通信相手の装置に備えられたスピーカを制御することができる通信システムを提供することを目的とする。
また、本発明は、通信装置から、特別な制御装置を用いることなしに、対等な通信相手の装置に備えられたスピーカを制御することができる通信システムを提供することを目的とする。
【０００６】
【課題を解決するための手段】
上記課題を解決するために、本発明にかかる通信システムは、第１の通信装置と第２の通信装置とを有する通信システムであって、前記第１の通信装置は、前記第２の通信装置に対して、着信音の出力を行わせる制御信号を送信し、前記第２の通信装置は、音声を出力するか否かの制御、および、音量の制御に従って、音声を出力する音声出力手段と、前記送信された制御信号を受信したときに、最大の音量で、前記着信音を出力するように、前記音声出力手段を制御する音声出力制御手段とを有する。
【０００７】
好適には、前記第１の通信装置は、前記第２の通信装置に対して、前記着信音の出力を指示する制御信号を、所定の伝送フレームに収容して送信し、前記音声出力手段は、前記送信された伝送フレームの制御信号が、前記着信音の出力を指示するときに、最大の音量で、前記着信音を出力するように、前記音声出力手段を制御する。
【０００８】
【発明の実施の形態】
以下、本発明の実施の形態を説明する。
【０００９】
［通信システム１］
図１は、本発明にかかる通信システム１の構成を例示する図である。
図１に示すように、通信システム１は、２つの無線システム２−１，２−２から構成される。
無線システム２−１，２−２は、多重化ディジタル無線装置３−１，３−２、打合せ装置４−１，４−２、ＰＢＸあるいは局用交換機（交換機２０−１，２０−２）、および、企業内通信網あるいは公衆通信網（ネットワーク２２−１，２２−２）から構成される。
【００１０】
通信システム１は、これらの構成部分により、ネットワーク２２−１，２２−２の間を、無線回線を介して接続し、これらの間で音声などのデータを伝送する。
また、通信システム１においては、打合せ装置４−１，４−２の間で、通信相手のスピーカを制御して着信音を出力させ、通話相手を呼び出すことにより、音声通信を行う。
【００１１】
［多重化ディジタル無線装置３］
図２は、図１に示した多重化ディジタル無線装置３および打合せ装置４の構成を示す図である。
図２に示すように、多重化ディジタル無線装置３は、アンテナ３００、送受信部（ＴＲＸ）３０２、多重化／分離部（ＭＵＸ／ＤＥＭＵＸ）３０４、ＭＰＵ３０６、回線対応部３２−１〜３２−ｋ（ｋは整数；図２はｋ＝４の場合を例示）、および、ＩＳＤＮ対応部３４から構成される。
【００１２】
回線対応部３２は、ＡＤＰＣＭ部３２０、電話回線インターフェース（ＴＥＬ−ＩＦ）３２２から構成される。
ＩＳＤＮ対応部３４は、ＩＳＤＮ制御部（ＩＳＤＮ−Ｃ）３４０およびＢＲＩ−ＩＦ（Ｂａｓｉｃ　Ｒａｔｅ　Ｉｎｔｅｒｆａｃｅ）３４２から構成される。
なお、以下、多重化ディジタル無線装置３−１，３−２など、複数ある構成部分のいずれかを特定せずに示す場合には、単に、多重化ディジタル無線装置３などと略記する場合がある。
【００１３】
多重化ディジタル無線装置３−１（３−２）は、これらの構成部分により、ｍ回線（図２はｍ＝２４の場合を例示）の電話回線およびｎ回線（図２はｎ＝１の場合を例示）のＩＳＤＮ回線を介して交換機２０−１（３−２）と接続され、これらの回線を多重化して伝送データとし、無線通信回線を介して、多重化ディジタル無線装置３−２（３−１）に対して送信する。
また、多重化ディジタル無線装置３−１（３−２）は、多重化ディジタル無線装置３−２から無線通信回線を介して伝送されてきた伝送データから、ｍ回線の電話回線およびｎ回線のＩＳＤＮ回線を分離し、交換機２０−１（３−２）に対して出力する。
また、多重化ディジタル無線装置３は、打合せ装置４による通話をサポートする。
【００１４】
多重化ディジタル無線装置３−１（３−２）において、ＭＰＵ３０６は、マイクロプロセッサおよびメモリ（図示せず）などから構成され、多重化ディジタル無線装置３および打合せ装置４の各構成部分の動作を制御する。
【００１５】
回線対応部３２のＴＥＬ−ＩＦ３２２は、交換機２０−１（２０−２）の電話回線と接続され、交換機２０−１（２０−２）から入力される音声信号をＡＤＰＣＭ部３２０に対して出力するなどのインターフェース機能を提供する。
【００１６】
ＡＤＰＣＭ部３２０は、ＴＥＬ−ＩＦ３２２から入力される音声信号を圧縮・符号化してディジタル音声データとし、ＭＵＸ／ＤＥＭＵＸ３０４に対して出力する。
また、ＡＤＰＣＭ部３２０は、ＭＵＸ／ＤＥＭＵＸ３０４から入力される音声データをアナログ音声信号に伸長・復号し、ＴＥＬ−ＩＦ３２２に対して出力する。
【００１７】
ＩＳＤＮ対応部３４のＢＲＩ−ＩＦ３４２は、交換機２０−１（２０−２）のＩＳＤＮ回線と接続され、交換機２０−１（２０−２）から入力される音声その他のデータを、ＩＳＤＮ制御部３４０に対して出力するなどのインターフェース機能を提供する。
【００１８】
ＩＳＤＮ制御部３４０は、ＩＳＤＮ回線制御を行い、ＢＲＩ−ＩＦ３４２から入力されるデータを、ＭＵＸ／ＤＥＭＵＸ３０４に対して出力し、また、ＭＵＸ／ＤＥＭＵＸ３０４から入力されるデータを、ＢＲＩ−ＩＦ３４２に対して出力する。
【００１９】
図３は、多重化ディジタル無線装置３が伝送する伝送データのフォーマットを例示する図である。
通信システム１においては、多重化ディジタル無線装置３−１，３−２の間で、音声などのデータ（ＳＬＯＴ＃１〜＃４）と、ＭＰＵ３０６から入力される制御データおよびＳＰ＿ＯＮ／ＯＦＦビットとが、図３に例示する伝送フレームに収容されて伝送データとされ、伝送される。
【００２０】
ＭＵＸ／ＤＥＭＵＸ３０４は、回線対応部３２およびＩＳＤＮ対応部３４から入力されるデータと、ＭＰＵ３０６から入力される制御データおよびＳＰ＿ＯＮ／ＯＦＦビットとを、図３に示す伝送フレームに収容して伝送データとし、送受信部３０２に対して出力する。
また、ＭＵＸ／ＤＥＭＵＸ３０４は、送受信部３０２から入力される伝送データ（図３）から、電話回線およびＩＳＤＮ回線のデータを分離して回線対応部３２およびＩＳＤＮ対応部３４に対して出力し、また、伝送データから制御データおよびＳＰ＿ＯＮ／ＯＦＦビットを分離し、ＭＰＵ３０６に対して出力する。
【００２１】
［打合せ装置４］
打合せ装置４は、ＡＤＰＣＭ部４００、マイク（ＭＩＣ）４０２、スピーカ（ＳＰ）４０４、着信音発生部４０６、ユーザインターフェース（ＵＩ）部４１０、スピーカスイッチ（ＳＰ　ＳＷ）４１２および呼出スイッチ（ＣＡＬＬ　ＳＷ）４１４から構成される。
打合せ装置４−１（４−２）は、これらの構成部分により、打合せ装置４−２（４−１）との通信開始時に、打合せ装置４−２（４−１）のスピーカを、音声を出力する（ＯＮ）状態として、着信音を、図２に示したスピーカ音量スイッチの状態に関係なく最大音量で出力し、打合せ装置４−２（４−１）のユーザを呼び出して、緊急時の打ち合わせなどのための音声通信を行う。
【００２２】
マイク４０２は、ユーザの話し声などの音声を音声信号に変換し、ＡＤＰＣＭ部４００に対して出力する。
スピーカ４０４は、ＡＤＰＣＭ部４００から入力される話し声および着信音などの音声信号を出力する。
【００２３】
ＡＤＰＣＭ部４００は、多重化ディジタル無線装置３のＡＤＰＣＭ部３２０と同様に、マイク４０２から入力される音声信号を圧縮・符号化してディジタル音声データとし、ＭＵＸ／ＤＥＭＵＸ３０４に対して出力する。
また、ＡＤＰＣＭ部４００は、ＭＵＸ／ＤＥＭＵＸ３０４から入力される音声データをアナログ音声信号に伸長・復号し、スピーカ４０４に対して出力する。さらに、ＡＤＰＣＭ部４００は、ＭＰＵ３０６の制御に従って、スピーカ４０４を音声出力を行う（ＯＮ）状態とし、着信音発生部４０６が生成した着信音データを音声信号に変換し、ＭＰＵ３０６により設定される音量で、スピーカ４０４から出力する。
【００２４】
ＵＩ部４１０は、スピーカスイッチ４１２および呼出スイッチ４１４などに対するユーザの操作を受け入れて、ＭＰＵ３０６に対して出力する。
なお、ＭＰＵ３０６は、ユーザがスピーカスイッチ４１２に対してスピーカ４０４を、音声出力をしない（ＯＦＦ）状態にする操作を行った場合には、この操作に従って、スピーカ４０４をＯＦＦ状態とするようにＡＤＰＣＭ部４００を制御する。
また、多重化ディジタル無線装置３−１（３−２）のＭＰＵ３０６は、多重化ディジタル無線装置３−１（３−２）のユーザが、呼出スイッチ４１４に対して、多重化ディジタル無線装置３−２（３−１）に対する打ち合わせ通話を行う操作を行った場合には、その操作に従って、図４を参照して後述する発信処理を行う。
また、多重化ディジタル無線装置３−１（３−２）のＭＰＵ３０６は、多重化ディジタル無線装置３−２（３−１）から、発信処理を受けた場合には、図５を参照して後述する着信処理を行う。
【００２５】
［発信処理］
以下、ＭＰＵ３０６による発信処理を説明する。
図４は、ＭＰＵ３０６（図２）による発信処理（Ｓ１０）を示すフローチャートである。
図４に示すように、ステップ１００（Ｓ１００）において、スピーカスイッチ４１２・呼出スイッチ４１４に対する操作などのイベントが発生する。
発生したイベントは、ＵＩ部４１０などにより、ＭＰＵ３０６に伝えられる。
【００２６】
ステップ１０２（Ｓ１０２）において、多重化ディジタル無線装置３−１（３−２）のＭＰＵ３０６は、発生したイベントが、通信相手の多重化ディジタル無線装置３−２（３−１）に接続された打合せ装置４への発信であり、通信相手の打合せ装置４のスピーカ４０４に対する制御が必要であるか否かを判断する。
多重化ディジタル無線装置３−１（３−２）のＭＰＵ３０６は、スピーカ４０４に対する制御が必要な場合にはＳ１０４の処理に進み、これ以外の場合にはＳ１１０の処理に進む。
【００２７】
ステップ１０４（Ｓ１０４）において、多重化ディジタル無線装置３−１（３−２）のＭＰＵ３０６は、図３に示した伝送フレーム中の通信相手の打合せ装置４に対する発信を行うための制御データ、および、スピーカ４０４をＯＮ状態とし、最大音量で着信音の音声を出力することを示すＳＰ＿ＯＮ／ＯＦＦビットを伝送フレームに収容し、通信相手側に対して送信する。
【００２８】
ステップ１１０（Ｓ１１０）において、ＭＰＵ３０６は、Ｓ１０４に示した処理以外の処理（他の処理）を行う。
【００２９】
［着信処理］
以下、ＭＰＵ３０６による着信処理を説明する。
図５は、ＭＰＵ３０６（図２）による着信処理（Ｓ１２）を示すフローチャートである。
図５に示すように、ステップ１２０（Ｓ１２０）において、多重化ディジタル無線装置３−２（３−１）が、通信相手の多重化ディジタル無線装置３−１（３−２）から伝送データ（図３）を受信する。
受信された伝送データに含まれる制御データおよびＳＰ＿ＯＮ／ＯＦＦは、ＭＵＸ／ＤＥＭＵＸ３０４により分離され、ＭＰＵ３０６に対して出力される。
【００３０】
ステップ１２２（Ｓ１２２）において、多重化ディジタル無線装置３−２（３−１）のＭＰＵ３０６は、入力された制御データおよびＳＰ＿ＯＮ／ＯＦＦが、通信相手の打合せ装置４から、多重化ディジタル無線装置３−２（３−１）の打合せ装置４に対する着信であって、打合せ装置４のスピーカ４０４に対する制御が必要であるか否かを判断する。
多重化ディジタル無線装置３−２（３−１）のＭＰＵ３０６は、スピーカ４０４に対する制御が必要な場合にはＳ１０４の処理に進み、これ以外の場合にはＳ１１０の処理に進む。
【００３１】
ステップ１２４（Ｓ１２４）において、多重化ディジタル無線装置３−２（３−１）のＭＰＵ３０６は、ＡＤＰＣＭ部４００を制御して、スピーカ４０４をＯＮ状態とする。
【００３２】
ステップ１２６（Ｓ１２６）において、多重化ディジタル無線装置３−２（３−１）のＭＰＵ３０６は、ＡＤＰＣＭ部４００を制御して、着信音発生部４０６が発生した着信音を最大音量でスピーカ４０４から出力させる。
多重化ディジタル無線装置３−２（３−１）のユーザが、呼出スイッチ４１４などに対して応答の操作を行うと、多重化ディジタル無線装置３−２（３−１）のＭＰＵ３０６は、多重化ディジタル無線装置３−１（３−２）の打合せ装置４と、多重化ディジタル無線装置３−２（３−１）の打合せ装置４との間の通話を開始させるよう、多重化ディジタル無線装置３および打合せ装置４の各構成部分を制御する。
【００３３】
ステップ１２８（Ｓ１２８）において、多重化ディジタル無線装置３−２（３−１）のＭＰＵ３０６は、Ｓ１２４，Ｓ１２６に示した処理以外の処理（他の処理）を行う。
【００３４】
［通信システム１の特徴］
以上説明したように、通信システム１においては、打合せ装置４同士の通信が行われる際に、スピーカ４０４がＯＮ状態とされ、最大音量で着信音が出力され、通信相手側のユーザを呼び出す。
従って、着信側の打合せ装置４のスピーカ４０４がＯＦＦ状態になっている場合でも、発信側の打合せ装置４から着信側の打合せ装置４のスピーカ４０４をＯＮ状態とすることができ、確実に通話相手を呼び出すことができる。
【００３５】
【発明の効果】
以上説明したように、本発明にかかる通信システムによれば、ユーザが特別な制御コードを入力する必要なしに、通信相手の装置に備えられたスピーカを制御することができる。
また、本発明にかかる通信システムによれば、通信装置から、特別な制御装置を用いることなしに、対等な通信相手の装置に備えられたスピーカを制御することができる。
また、本発明にかかる通信システムによれば、伝送フレーム内の音量制御ビットにより、音量スイッチの設定にかかわらず、指定された音量で着信音を鳴らすことができる。
【図面の簡単な説明】
【図１】本発明にかかる通信システムの構成を例示する図である。
【図２】図１に示した多重化ディジタル無線装置および打合せ装置の構成を示す図である。
【図３】多重化ディジタル無線装置が伝送する伝送データのフォーマットを例示する図である。
【図４】ＭＰＵ（図２）による発信処理（Ｓ１０）を示すフローチャートである。
【図５】ＭＰＵ（図２）による着信処理（Ｓ１２）を示すフローチャートである。
【符号の説明】
１・・・通信システム、
２・・・無線システム、
２０・・・交換機、
２２・・・ネットワーク、
３・・・多重化ディジタル無線装置、
３００・・・アンテナ、
３０２・・・送受信部、
３０４・・・ＭＵＸ／ＤＥＭＵＸ、
３０６・・・ＭＰＵ、
３２・・・回線対応部、
３２０，４００・・・ＡＤＰＣＭ部、
３２２・・・ＴＥＬ−ＩＦ、
３４・・・ＩＳＤＮ対応部、
３４０・・・ＩＳＤＮ制御部、
３４２・・・ＢＲＩ−ＩＦ、
４・・・打合せ装置、
４００・・・ＡＤＰＣＭ部、
４０２・・・マイク、
４０４・・・スピーカ、
４０６・・・着信音発生部、
４１０・・・ＵＩ部、
４１２・・・スピーカスイッチ、
【図１】
2004128611.tif 000003
【図２】
2004128611.tif 000004
【図３】
2004128611.tif 000005
【図４】
2004128611.tif 000006
【図５】
2004128611.tif 000007